(57)【特許請求の範囲】
【請求項１】
アナログ信号により動作するアナログ回路と、ディジタル信号により動作するディジタル回路とを備えた携帯用電子機器の給電方法であって、
前記アナログ回路と前記ディジタル回路とのそれぞれに対応して第１電池と第２電池とを設け、前記ディジタル回路に接続した一方の電池の出力電圧が基準値以下に低下したことを検出し、前記一方の電池が機器の端子から離れる前に、前記ディジタル回路を他方の電池に切替え接続するとともに、前記アナログ回路を他方の電池から一方の電池に切替え接続することを特徴とする携帯用電子機器の給電方法。
【請求項２】
アナログ信号により動作するアナログ回路と、
ディジタル信号により動作するディジタル回路と、
このディジタル回路と前記アナログ回路とに対応して設けた第１電池および第２電池と、
前記各電池に対応して設けられ、前記各電池の出力電圧が基準値以下に低下して電池が機器の端子から離れることを検知するリセットＩＣと、
前記ディジタル回路に接続した一方の電池に対応した前記リセットＩＣが前記一方の電池の出力電圧が前記基準値以下に低下したことを検出した信号を出力したときに、前記ディジタル回路を他方の電池に切替え接続するとともに、前記アナログ回路を他方の電池から一方の電池に切替え接続する切替え部と、
を有することを特徴とする携帯用電子機器。
【発明の詳細な説明】
【０００１】
【発明の属する技術分野】
本発明は、アナログ系電子回路とディジタル系電子回路とを有する電子機器に係り、特に電源が電池である携帯用電子機器の給電方法および携帯用電子機器に関する。
【０００２】
【従来の技術】
電子回路は、連続的に変化する信号(アナログ情報)を取り扱うアナログ回路と、電圧または電流がある状態とない状態との組み合わせによって動作するディジタル回路とに大別される。そして、近年は、ディジタル回路技術の著しい発達によって、アナログ量を取り扱う回路の制御にもディジタル回路が採用されるようになっている。例えばテレビジョン(テレビ)受像機においては、チューナによって受信した放送電波からアナログの映像信号と音声信号とを取り出すようになっているが、電子チューナ、電子音声増幅器が採用され、これらをディジタル回路によって制御している。また、近年急速に普及してきている携帯電話においては、単に電話の送受信ばかりでなく、電話番号の登録機能や表示機能、電子メールの送受信機能などアナログ回路とディジタル回路とが併用されている。
【０００３】
このように、多くの電子機器においては、アナログ回路とディジタル回路とが併用されており、携帯テレビや携帯オーディオプレーヤなどの携帯用電子機器においても例外ではない。そして、携帯用電子機器は、一般に乾電池などの電池によって動作させるようになっている。
【０００４】
【発明が解決しようとする課題】
ところが、電池によって動作させる従来の携帯用電子機器は、アナログ信号によって動作する映像回路や音声回路などのアナログ回路(アナログ部)と、ディジタル信号によって作動するシステムを制御する制御回路などのディジタル回路(ディジタル部)とが、同じ電源電池から給電されるようになっている。すなわち、携帯用電子機器は、複数の電池を有していたとしても、これらの電池を同じ方向に配置し直列に接続してアナログ部とディジタル部とに給電するようにしている。このため、従来の携帯用電子機器においては、アナログ部とディジタル部とのいずれもが、電源回路を介して相互のノイズなどの影響を受ける。
【０００５】
特に、電子機器が高音質を特徴とする半導体オーディオプレーヤである場合、ディジタル部において生じたノイズが音質を劣化させる原因の１つとなっている。また、携帯用電子機器がテレビ放送受信機能（ＴＶ機能）やＦＭ放送受信機能(ＦＭ機能)を有する場合、ディジタル回路において発生させる矩形状のパルス信号には、高周波成分が含まれているため、この高周波成分が放送電波の受信信号に重畳され、テレビ放送やＦＭ放送の感度を劣化させる。
【０００６】
さらに、テレビチューナや音声出力部などは、ディジタル回路と比較して消費電力(消費電流)が大きく、消費電流の変動も大きい。このため、電池が消耗して電池容量が少なくなったきたときに、テレビ受信機能をオンするなどしたときに生ずるアナログ部の突発的な電流の消費により電源電圧が大きく低下し、ディジタル部に供給されている電圧がディジタル回路の動作電圧以下となってディジタル部が誤作動し、システムが不安定となる。
【０００７】
また、携帯用電子機器の電源である電池は、一般にマンガン乾電池やアルカリ乾電池などの円柱状の細長いものが使用され、ばねの弾性力によって電池の端子と機器の端子とを密着させるようにしている。しかし、電子機器をぶつけるなどして電子機器に衝撃が作用すると、その衝撃によって電池が瞬間的に機器側の電源端子と離れるいわゆるチャタリングを生じることがあり、電源が瞬間的に遮断される。このため、音とびのないことが大きな特徴の１つである半導体オーディオプレーヤにおいて、機器に作用する衝撃によって電池のチャタリングが生じ、電源の瞬断によってシステムが誤作動して音とび等が生ずる。そして、このような電池のチャタリングを防ぐために、コネクタ型の独自の形状をした電池を搭載する方法が考えられるが、この場合、一般に市販されている電池を使用することができず、急な電池切れなどの時に使用不能となって不便である。
【０００８】
本発明は、前記従来技術の欠点を解消するためになされたもので、電源回路を介して生ずるアナログ部とディジタル部との相互のノイズなどによる影響を防止することを目的としている。
また、本発明は、ディジタル回路からなるシステム制御部などの動作の安定を図ることを目的としている。
【０００９】
さらに、本発明は、ディジタル部に給電する電源の瞬断時においても、ディジタル部の動作を確保できるようにすることを目的としている。
そして、本発明は、アナログ回路とディジタル回路とのそれぞれを異なる電池によって動作させる場合に、一方の電池だけがどんどん消耗するいわゆる電池の片減りを防止することを目的としている。
【００１３】
【課題を解決するための手段】
また、本発明に係る携帯用電子機器の給電方法は、アナログ信号により動作するアナログ回路と、ディジタル信号により動作するディジタル回路とを備えた携帯用電子機器の給電方法であって、前記アナログ回路と前記ディジタル回路とのそれぞれに対応して第１電池と第２電池とを設け、前記ディジタル回路に接続した一方の電池の出力電圧が基準値以下に低下したことを検出し、前記一方の電池が機器の端子から離れる前に、前記ディジタル回路を他方の電池に切替え接続するとともに、前記アナログ回路を他方の電池から一方の電池に切替え接続することを特徴としている。
【００１４】
このようになっている本発明は、携帯用電子機器を物にぶつけたりして衝撃が作用し、ディジタル回路を接続した電池がチャタリングして電源の瞬断が生じた場合であっても、電源電圧が予め定めた値以下となる前に他方の電池に切り替えて接続するため、ディジタル回路からなるシステム制御部の電源が瞬断してシステムが誤作動またはリセットされるなどを防止でき、システムを安定して動作させることができる。しかも、ディジタル回路とアナログ回路とを異なる電池に接続するため、電源回路を介してディジタル回路とアナログ回路との間に生ずる、お互いのノイズなどによる影響を防ぐことができる。
【００１５】
これらの給電方法において、前記第１電池と前記第２電池との出力電圧のいずれもが、前記ディジタル回路が動作可能な予め定めた値以下となったときに、電源をオフするようにできる。このようにすることにより、電池が消耗してディジタル回路が動作不能となって誤作動またはシステムがリセットされる前に電源をオフすることができ、記憶部に記憶されている使用状態や記憶しているデータが保存されてシステムを最初から立ち上げる手間をなくすことができる。
【００１８】
また、本発明に係る携帯用電子機器は、アナログ信号により動作するアナログ回路と、ディジタル信号により動作するディジタル回路と、このディジタル回路と前記アナログ回路とに対応して設けた第１電池および第２電池と、前記各電池に対応して設けられ、前記各電池の出力電圧が基準値以下に低下して電池が機器の端子から離れることを検知するリセットＩＣと、前記ディジタル回路に接続した一方の電池に対応した前記リセットＩＣが前記一方の電池の出力電圧が前記基準値以下に低下したことを検出した信号を出力したときに、前記ディジタル回路を他方の電池に切替え接続するとともに、前記アナログ回路を他方の電池から一方の電池に切替え接続する切替え部と、を有することを特徴としている。
【００１９】
このようになっている本発明は、アナログ回路とディジタル回路とをそれぞれ異なる電池によって動作させるため、電源回路を介してディジタル回路とアナログ回路との間に生ずる、お互いのノイズなどによる影響を避けることができるとともに、出力電圧の高い電池を、より高い動作電圧を必要とする一方の回路に接続し、出力電圧の低い電池をより低い動作電圧で動作する回路に接続するため、アナログ回路に給電する電池と、ディジタル回路に給電する電池とを分けた場合における電池の片減りを防止することができる。
【００２０】
上記の携帯用電子機器は、より大きな電流を必要とする一方の回路はアナログ回路であり、他方の回路はディジタル回路である。ＴＶ受信機能やＦＭ受信機能、オーディオ再生機能を有する携帯用電子機器は、アナログ部となるＴＶチューナや音声出力部などの消費電流が大きいとともに、機能を有効に発揮させるためには、一般にディジタル部(ディジタル回路)より大きな電流を必要とする。従って、アナログ回路を出力電圧の高い電池に接続することにより、ＴＶ受信機能やＦＭ受信機能、オーディオ再生機能を確実、良好に発揮させることができる。
【００２１】
また、電池選択部は、第１電池と第２電池との出力電圧が、予め定めた値以下となったときに、電源をオフするように構成することが望ましい。このようにすると、ディジタル回路が動作不能となってシステムが誤作動またはリセットされる前に電源をオフすることができ、記憶部に記憶されている状態が保存されてシステムを最初から立ち上げる手間をなくすことができる。
【００２３】
このようになっている本発明は、ディジタル回路に電力を供給している電池が、機器に作用する衝撃などによりチャタリングを生じた場合に、電源が完全に遮断される前に電池を切り替えて接続することにより、ディジタル回路に与えられている電圧が動作電圧より低くなってシステム制御部などが誤作動またはリセットされるなどの不都合を避けることができ、システムの安定化を図ることができる。
【００２４】
また、第１電池と第２電池とは、第１電池と第２電池との出力電圧が、ディジタル回路の動作が可能な予め定めた電圧以下に低下したときに、電源スイッチ部を介して電源をオフする出力電圧比較部に接続するとよい。これにより、電池が消耗してディジタル回路が動作不能となってシステムが誤作動またはリセットされる前に電源をオフすることができ、記憶部に記憶されている状態が保存されてシステムを最初から立ち上げる手間をなくすことができる。そして、第１電池と第２電池とは、同じ種類の電池にすることが望ましい。このようにすると、機器の構造、形態、電源回路などを簡素化できるとともに、電池の装着、取扱いの間違いなどをなくすことができる。
【００２５】
【発明の実施の形態】
本発明に係る携帯用電子機器の給電方法および携帯用電子機器の好ましい実施の形態を、添付図面に従って詳細に説明する。なお、以下に説明する実施形態は、本発明の一態様であって、これに限定されるものではない。
図２は、本発明の実施の形態に係る携帯用電子機器である携帯用オーディオ・ビジュアル機器の斜視図である。図２において、オーディオ・ビジュアル機器(ＡＶ機器)１０は、テレビ受信機能、ＦＭ放送受信機能、メモリカードに記録した音楽の再生機能(オーディオ再生機能)、さらにはディジタルカメラで撮影した画像などを再生可能な画像再生機能を有している。そして、ＡＶ機器１０は、本体１２の前面上部に大きさ数インチからなる表示部１４を備えている。表示部１４は、実施形態の場合、液晶パネルから形成してあって、本体１２の前面上端部に開閉自在に設けた蓋１６によって遮蔽、露出できるようになっている。また、蓋１６の基部には、蓋１６の開閉に連動してパルス状の信号を出力する表示スイッチ１８が設けてあって、蓋１６を解放して表示部１４を露出させたときに、表示部１４がオンされてテレビ映像や画像が表示され、例えばラジオの受信時や録音した音楽の再生時に蓋１６を閉じて表示部１４を遮蔽すると、表示部１４がオフされて画像が消えるようになっており、消費電力の節約が図られている。
【００２６】
本体１２の側部には、電源スイッチ部であるメインスイッチ２０が設けてあり、このメインスイッチ２０を操作することにより、ＡＶ機器１０の電源をオン、オフできるようにしてある。また、メインスイッチ２０の下方には、ジョグスイッチからなる選択スイッチ２２が設けてあって、この選択スイッチ２２を操作することにより、テレビ受信モード(ＴＶモード)、ＦＭラジオ受信モード(ＦＭモード)、メモリカードに録音した音響(音楽)を再生するオーディオモード、ディジタルカメラにより撮影した画像などを表示させる画像モードの選択や、テレビ受信モード時やＦＭラジオ受信モード時における選局、オーディオモードにおける選曲などを行なえるようになっている。そして、メインスイッチ２０と選択スイッチ２２との間には、メニュースイッチ２４が配設してあって、このメニュースイッチ２４を操作することにより、表示部１４に機能を選択するためのメニュー画面を表示できるようにしてある。
【００２７】
なお、本体１２には、電源部２６を構成しているアルカリ乾電池などからなる円柱状の第１電池２８と第２電池３０とが内蔵してある。これらの第１電池２８と第２電池３０とは、相互に並行させて並べて配置してある。そして、第１電池２８と第２電池３０とは、詳細を後述するように、いずれか一方がテレビの映像信号や音声信号などのアナログ信号を取り扱うアナログ回路(アナログ部)に接続され、アナログ部に給電して動作可能とし、いずれか他方がＡＶ機器１０のシステムを制御する制御回路などのディジタル回路(ディジタル部)に接続され、ディジタル部に給電して動作可能としている。また、各電池２８、３０の端子は、通常の携帯用オーディオプレーヤなどと同様に、ＡＶ機器１０の電源端子部(図示せず)に設けたばねの弾性力によって、ＡＶ機器１０の電源端子に密着するようにしてある。
【００２８】
さらに、ＡＶ機器１０は、本体１２の上端側面に図示しない音量調節部が設けてある。また、本体１２には、音響出力部となるイヤーホーンジャック(図示せず)が設けてあり、このイヤーホーンジャックを介してヘッドホーンやイヤーホーンによって音響(音声)を出力できるようにしてある。そして、本体１２には、外部記憶装置となるメモリカードを装着するインターフェイスを備えていて、このインターフェイスに音楽を録音したメモリカードや、画像を記録したメモリカードを装着することにより、音楽の再生や画像の再生ができるようにしてある。
【００２９】
図３は、ＡＶ機器１０の主要部のブロック図である。ＡＶ機器１０は、図３に示したように、ＣＰＵからなるシステム制御部３２を備えている。システム制御部３２は、後述するように、第１電池２８と第２電池３０との出力電圧を比較して出力電圧の高い電池を選択する電池選択部、および第１電池２８と第２電池３０との出力電圧が予め定めた値以下となったときにメインスイッチ２０をオフする出力電圧比較部を構成している。
【００３０】
また、ＡＶ機器１０は、メインスイッチ２０の出力側に接続した切替え接続部となっている詳細を後述する電源制御部３４を有する。この電源制御部３４は、ＡＶ機器１０を構成している各回路に電力を供給するようになっている。すなわち、電源制御部３４の出力側には、アナログ部(アナログ回路)の一部を構成しているＴＶチューナ３６とＦＭチューナ３８とが接続してあるとともに、ディジタル部(ディジタル回路)の一部を構成している音声・画像デコーダ４０、液晶コントローラ４２、表示部(液晶パネル)１４が接続してある。そして、システム制御部３２は、電源制御部３４、ＴＶチューナ３６、ＦＭチューナ３８、音声・画像デコーダ４０、液晶コントローラ４２などを制御する。また、システム制御部３２は、メインスイッチ２０がオン状態かオフ状態かを読み込むとともに、メインスイッチ２０に電源を遮断するオフ信号を出力するようになっている。
【００３１】
さらに、システム制御部３２には、メモリカードインターフェイス(メモリカードＩ／Ｆ)４６、ワークＲＡＭ４８、フラッシュＲＯＭ５０、表示コントロール部５２などがバスを介して接続してある。メモリカードＩ／Ｆ４６は、音楽やディジタルカメラによって撮影した画像などを記録したメモリカードが装着される。そして、システム制御部３２は、メモリカードＩ／Ｆ４６を介してメモリカードにディジタルデータとして記録してある音楽データや画像データを読み取り、フラッシュメモリ５０に書き込み可能となっている。
【００３２】
また、音声・画像デコーダ４０は、システム制御部３２からの制御信号を受け、メモリカードＩ／Ｆ４６を介してメモリカードに記録されている音楽データ、画像データを読み出すとともに、フラッシュＲＯＭ５０に格納されている音楽データ、画像データがシステム制御部３２から入力し、ディジタル音楽データをアナログ信号に変換して図示しない音声出力部に送出するとともに、画像データをグラフィックＲＡＭ５４に書き込む。グラフィックＲＡＭ５４に書き込まれた画像データは、表示コントローラ５２によって読み出され、表示部１４に画像として表示される。
【００３３】
メインスイッチ２０は、図４に示したように、第１電池２８を電源制御部３４に接続、遮断する第１スイッチ部５６と、第２電池３０を電源制御部３４に接続、遮断する第２スイッチ部５８とが連動して作動するようになっている。そして、電源制御部３４は、第１電池２８と第２電池３０とのいずれか一方を選択してディジタル回路からなる制御系回路５７に切替え接続し、第１電池２８と第２電池３０とのいずれか他方をアナログ回路からなるアプリケーション系回路５９に切替え接続する。また、電源制御部３４は、制御系回路５７を構成しているシステム制御部３２から切替え信号を受けるようになっている。
【００３４】
電源制御部３４は、図１に示したように、メインスイッチ２０の第１スイッチ部５６に並列接続したリセットＩＣ６０ａ、６０ｂと、第２スイッチ部５８に並列接続したリセットＩＣ６０ｃ、６０ｄとを有する。これらのリセットＩＣ６０ａ〜６０ｄは、周知のようにコンパレータと設定可能な基準電圧とを内蔵し、入力電圧が基準電圧より高いと「Ｈ」を出力し、入力電圧が基準電圧以下になると「Ｌ」を出力する。また、電源制御部３４は、一対のＮＡＮＤ回路６２、６４と、一対のラッチ回路６６、６８と、一対のマルチプレクサ７０、７２とを有している。そして、各リセットＩＣ６０ａ〜６０ｄには、後述するように、システム制御部(ＣＰＵ)３２からリセット信号が入力するようになっている。
【００３５】
ＮＡＮＤ回路６２は、一方の入力端子にリセットＩＣ６０ａの出力端子とプルアップ抵抗７４とが並列に接続してある。また、ＮＡＮＤ回路６２の他方の入力端子には、リセットＩＣ６０ｃの出力信号が入力するようになっている。そして、ＮＡＮＤ回路６２の出力端子は、遅延回路７６を介してラッチ回路６６のクロック入力端子（Ｃｐ  端子）に接続してある。このラッチ回路６６は、Ｄ入力端子にリセットＩＣ６０ａの出力信号が入力するようになっているとともに、Ｑ出力端子の出力信号がシステム制御部３２に入力する。システム制御部３２は、ラッチ回路６６の出力が「１（Ｈ）」であるか「０（Ｌ）」であるかを監視し、後述するように各リセットＩＣ６０ａ〜６０ｄにリセット信号を入力する。
【００３６】
さらに、ラッチ回路６６は、Ｑ出力端子がマルチプレクサ７０に接続してあって、マルチプレクサ７０に切替え信号を入力する。そして、マルチプレクサ７０は、出力端子がディジタル部(ディジタル回路)に接続してあって、ディジタル部に給電する。また、マルチプレクサ７０は、Ｓ1 入力端子にメインスイッチ２０の第１スイッチ部５６が接続してあり、Ｓ2 入力端子に第２スイッチ部５８が接続してある。これらのＳ1 入力端子、Ｓ2 入力端子は、出力端子に切替え接続される。
【００３７】
リセットＩＣ６０ｂの出力端子は、ＮＡＮＤ回路６４の一方の入力端子に接続してあるとともに、ラッチ回路６８のＤ入力端子に接続してある。また、ＮＡＮＤ回路６４は、一方の入力端子にリセットＩＣ６０ｂの入力端子と並列にプルアップ抵抗７８が接続してあり、他方の入力端子にリセットＩＣ６０ｄの出力端子が接続してある。そして、ＮＡＮＤ回路６４の出力端子は、遅延回路８０を介してラッチ回路６８のクロック入力端子に接続してある。
【００３８】
ラッチ回路６８は、Ｑ出力端子がマルチプレクサ７２に接続してあって、マルチプレクサ７２に切替え信号を与える。一方、マルチプレクサ７２のＳ１入力端子は第１スイッチ部５６に接続され、Ｓ２入力端子は第２スイッチ部５８に接続されている。そして、マルチプレクサ７２は、出力端子がアナログ部(アナログ回路)に接続してあって、アナログ部に給電可能となっている。なお、ラッチ回路６８のＱ出力端子の出力信号は、システム制御部３２に入力するようになっていて、出力信号の状態がシステム制御部３２によって監視される。
【００３９】
このように構成してある実施形態のＡＶ機器１０は、メインスイッチ２０をオンすると、第１スイッチ部５６と第２スイッチ部５８とが連動してオンとなり、第１電池２８と第２電池３０とを電源制御部３４に接続する。また、電源スイッチ２０をオフすると、第１スイッチ部５６と第２スイッチ部５８とがオフし、第１電池２８および第２電池３０と電源制御部３４との間が遮断される。
【００４０】
ところで、ＡＶ機器１０をぶつけたりしてＡＶ機器１０に衝撃が作用した場合、第１電池２８、第２電池３０に作用しているばね力や、加わる衝撃の方向、状態によっては、第１電池２８または第２電池３０のいずれか一方にチャタリングが生じて電源の瞬断が生ずる可能性がある。そして、今、メインスイッチ２０がオンされていて、マルチプレクサ７０の出力端子がＳ1 入力端子、第１スイッチ部５６を介して第１電池２８に接続され、ディジタル回路が第１電池２８によって給電されており、マルチプレクサ７２の出力端子がＳ2 入力端子、第２スイッチ部５８を介して第２電池３０に接続され、アナログ回路が第２電池３０から電力を供給されているとする。このとき、第１電池２８にチャタリングが生じた場合、次のようにしてマルチプレクサ７０の出力端子が第１電池２８から第２電池３０に切替え接続される。
【００４１】
まず、第１電池２８にチャタリングが生じ、その出力電圧ｖ1 が図５(ａ)のように低下して予め定めた値である基準電圧ｖ0 以下になると、同図(ｃ)に示したように、リセットＩＣ６０ａの出力が「Ｌ」となる。一方、リセットＩＣ６０ｃは、同図（ｂ）に示したように、第２電池３０の出力電圧ｖ2 が基準電圧ｖ0より大きいため、同図(ｄ)のように「Ｈ」を出力し続ける。このため、ＮＡＮＤ回路６２は、一方の入力端子にリセットＩＣ６０ａからの「Ｌ」が入力し、他方の入力端子にリセットＩＣ６０ｃからの「Ｈ」が入力する。従って、ＮＡＮＤ回路６２の出力は、図５(ｅ)に示したように、「Ｌ」から「Ｈ」に変わる。
【００４２】
ラッチ回路６６は、Ｄ入力端子にリセットＩＣ６０ａの出力端子が接続してあるため、図５(ｆ)に示したようにリセットＩＣ６０ａの出力が「Ｈ」から「Ｌ」に変わるのに同期して、Ｄ入力端子の入力が「Ｈ」から「Ｌ」に変化する。また、ラッチ回路６６のクロック入力端子(Ｃｐ  端子)には、遅延回路７６を介してＮＡＮＤ回路６２の出力が入力すようになっており、同図(ｇ)に示すように、Ｄ入力端子に入力する「Ｌ」にやや遅れて「Ｈ」がラッチ信号として入力する。そして、ラッチ回路６６のＱ出力端子の出力は、図５(ｈ)に示したように、ラッチ回路６６のＣｐ  端子に入力する「Ｈ」の立上がりに同期して「Ｈ」から「Ｌ」に変化し、この出力信号がマルチプレクサ７０に切替え信号として与えられる。
【００４３】
そこで、マルチプレクサ７０について、ラッチ回路６６から「Ｈ」が入力したときに出力端子をｓ1 入力端子に接続し、ラッチ回路６６から「Ｌ」が入力したときに出力端子をｓ2 入力端子に接続するように設定しておく。これにより、第１電源２８にチャタリングが生じて出力電圧ｖ1 が低下した場合、出力電圧ｖ1が０となる前にディジタル回路である制御系回路５７の電源が第１電池２８から第２電池３０に切り替えられる。
【００４４】
なお、図５(ａ)に示したように、第１電池２８の出力電圧ｖ1 が回復して基準電圧ｖ0 を上回り、リセットＩＣ６０ａの出力が「Ｈ」になったとしても、ラッチ回路６６の出力が「Ｌ」に保持されており、マルチプレクサ７０が切り替えられることはなく、ディジタル回路を第２電池３０に接続した状態が維持される。また、他方のラッチ回路６８の出力も、上記と同様にしてラッチ回路６６に同期して「Ｈ」から「Ｌ」に切り替えられる。
【００４５】
そこで、マルチプレクサ７２に対して、ラッチ回路６８から「Ｈ」が入力したときに、出力端子をｓ2 入力端子に接続し、ラッチ回路６８から「Ｌ」が入力したときに、出力端子をｓ1 入力端子に接続するように設定しておくことにより、第１電池２８にチャタリングが発生した場合、アナログ回路を第２電池３０から第１電池２８に切り替えて接続することができる。
【００４６】
一方、制御系回路５７が第２電池３０に接続され、アプリケーション系回路(アナログ回路)５９が第１電池２８に接続されている状態において、第２電池３０にチャタリングが生じ、その出力電圧ｖ2 が図５(ｂ)に示したように基準電圧ｖ0 以下になると、リセットＩＣ６０ｃ出力が「Ｈ」から「Ｌ」に変化する。このため、ＮＡＮＤ回路６２の出力が「Ｌ」から「Ｈ」に変わり、遅延回路７６を介してラッチ回路６６のＣp 端子にラッチ信号として与えられる。
【００４７】
ラッチ回路６６は、Ｄ入力端子にリセットＩＣ６０ａの出力している「Ｈ」が入力しているため、Ｃｐ  端子にラッチ信号が入力すると、同図(ｈ)に示したように、Ｑ出力端子の出力が「Ｌ」から「Ｈ」に変化し、この「Ｈ」がマルチプレクサ７０に切り替え信号として与えられる。このため、マルチプレクサ７０の出力端子は、ｓ２  入力端子からｓ１  入力端子に接続が切り替えられ、制御系回路５７が第１電池２８に切替え接続される。そして、マルチプレクサ７２も同様に切り替えられ、アプリケーション系回路５９が第１電池２８から第２電池３０に切替え接続される。
【００４８】
このように実施の形態においては、ディジタル回路とアナログ回路とを異なる電池に接続して給電するようになっているため、電源回路を介して生ずるお互いの雑音などに基づく影響をなくすことができ、半導体オーディオプレーヤとしての高音質を確保することができる。また、ディジタル回路を接続した電池にチャタリングが生じたとしても、電源電圧が予め定めた値以下となる前にディジタル回路の電源を他方の電池に切り替えるようにしているため、ＡＶ機器１０のシステムが誤作動またはリセットされることがなく、システムを安定させることができる。このため、音楽の再生や受信中のテレビ放送、ＦＭ放送が中断されるようなことがない。
【００４９】
図６は、システム制御部３２による電池の切替えフローを示したものである。前記したように、システム制御部３２は、ラッチ回路６６、６８の出力信号を監視しており、この出力信号に基づいて、ディジタル回路(制御系回路５７)が第１電池２８と第２電池３０とのどちらに接続されているかを判断している。また、システム制御部３２は、マルチプレクサ７０、７２から出力される第１電池２８の出力電圧ｖ1 と第２電池３０の出力電圧ｖ2 とを監視している。そして、システム制御部３２は、図６のステップ９０に示したように、メインスイッチ２０がオンされると、第１電池２８の出力電圧ｖ1 が予め定めてあるディジタル回路となる制御系を動作させるのに必要な最低電圧ｖmin より高いか否かを判断する(ステップ９２)。
【００５０】
システム制御部３２は、ステップ９２においてｖ1 ＞ｖminであると判断すると、ステップ９４に進んで第２電池３０の出力電圧ｖ2 がｖminより高いか否かを判断する。さらに、システム制御部３２は、ｖ2 ＞ｖminである場合、第１電池２８の出力電圧ｖ1と第２電池３０の出力電圧ｖ2との大きさを比較し(ステップ９６)、ｖ1＞ｖ2であると第１電池２８をアナログ回路であるアプリケーション系回路５９に接続し、第２電池３０を制御系回路５７に接続したのち(ステップ９８)、ステップ９２に戻る。
【００５１】
すなわち、システム制御部３２は、ラッチ回路６６、６８の出力信号の状態から、アプリケーション系回路５９が第２電池３０に接続され、制御系回路５７が第１電池２８に接続されていると判断した場合、図１に示したリセットＩＣ６０ａ、６０ｂにリセット信号を入力し、これらの出力を「Ｈ」から「Ｌ」に変える。これにより、前記したようにマルチプレクサ７０の出力端子がｓ2入力端子に接続され、マルチプレクサ７２の出力端子がｓ1入力端子に接続され、第２電池３０が制御系回路５７に電力を供給し、第１電池２８がアプリケーション系回路５９に電力を供給する。
【００５２】
一方、システム制御部３２は、ステップ９６における判断がｖ１＞ｖ２でない場合、ステップ９６からステップ１００に進み、第１電池２８を制御系回路５７に接続し、第２電池３０をアプリケーション系回路５９に接続したのち、ステップ９２に戻る。すなわち、システム制御部３２は、ラッチ回路６６、６８の出力信号から、制御系回路５７が第２電池３０に接続され、アプリケーション系回路５９が第１電池２８に接続されていることを検知し、ｖ１＞ｖ２でなくなると、リセットＩＣ６０ｃ、６０ｄにリセット信号を入力し、これらのリセとＩＣ６０ｃ、６０ｄから「Ｌ」を出力させる。これにより、前記したように、マルチプレクサ７０、７２が切り替えられ、制御系回路５７が第１電池２８に接続され、アプリケーション系回路５９が第２電池３０に接続される。
【００５３】
つまり、この実施形態の場合、システム制御部３２は、第１電池２８の出力電圧ｖ1と第２電池３０の出力電圧ｖ2 とを比較し、より出力電圧の高い一方の電池をアナログ回路に接続し、出力電圧の低い他方の電池をディジタル回路に接続するようにしている。これは、ディジタル回路は、動作に必要な最低の電圧ｖmin以上であれば動作を確保することができるのに対し、アナログ回路であるアプリケーション系回路５９は、ＴＶチューナ３６などの消費電流の大きな回路を有するとともに、音声回路などの電圧変動の大きな回路を有しており、電池残量の大きな電池をアプリケーション系回路５９に接続してその機能を充分に発揮させるようにしている。そして、実施形態の場合、電池残量の大きな電池を消費電流の大きな回路に接続するようにしているため、ディジタル回路とアナログ回路とをそれぞれ異なる電池によって動作せるようにしていても、一方の電池だけがどんどん消耗するようないわゆる片減りを避けることができる。
【００５４】
システム制御部３２は、ステップ９２においてｖ1＞ｖminでない場合、ステップ１０２に進んでｖ2＞ｖminを判断する。そして、システム制御部３２は、ｖ2＞ｖminでない場合、図１に示したように、メインスイッチ２０にオフ信号を出力して電源をオフする(ステップ１０４)。すなわち、第１電池２８と第２電池３０とのいずれもが制御系回路５７を動作させるのに必要な動作最低電圧ｖmin以下となった場合、電源をオフする。これにより、システムがリセットされてワークＲＡＭ４８などに記憶されているデータなどが消失するのを防ぐことができ、システムの安定を図ることができる。
【００５５】
また、システム制御部３２は、ステップ１０２における判断がｖ2＞ｖminである場合、ステップ１０６に示したように、第１電池２８の出力電圧ｖ1がアプリケーション系回路５９を動作させるのに必要な最低電圧ｖAPより高いか否かを判断する。ｖ1＞ｖAPである場合、ステップ１０８に示したように、前記したと同様の手法によってマルチプレクサ７０、７２を切り替えて、第１電池２８をアプリケーション系回路５９に接続し、第２電池３０を制御系回路５７に接続する。また、システム制御部３２は、ステップ１０６における判断がｖ1＞ｖAPでない場合、ステップ１１０に示したように、マルチプレクサ７０またはマルチプレクサ７２の出力側に設けてある図示しない分岐スイッチに制御信号を出力し、第２電池３０を制御系回路５７とアプリケーション系回路５９とに接続し、これらの回路に第２電池３０から給電可能にしたのち、ステップ９２に戻る。
【００５６】
システム制御部３２は、ステップ９２における判断がｖ1＞ｖminであり、ステップ９４における判断がｖ2＞ｖminでない場合、ステップ９４からステップ１１２に進む。そして、システム制御部３２は、ステップ１１２においてｖ2＞ｖAPを判断する。システム制御部３２は、ｖ2＞ｖAPである場合、第２電池３０をアプリケーション系回路５９に接続し、第１電池２８を制御系回路５７に接続したのち(ステップ１１４)、ステップ９２に戻る。また、ステップ１１２においてｖ2＞ｖAPでないとステップ１１６に進み、第１電池２８を制御系回路５７とアプリション系回路５９とに接続したのち、ステップ９２に戻る。
【００５７】
【発明の効果】
以上に説明したように、アナログ回路とディジタル回路とに対応して第１電池と第２電池とを設け、ディジタル回路が動作可能な出力電圧を有する電池をディジタル回路に接続し、他の電池をアナログ回路に接続するようにしており、ディジタル回路の電源(電池)とアナログ回路の電源(電池)とが分離されているため、電源回路を介してディジタル回路とアナログ回路との間に生ずる、お互いのノイズなどによる影響を避けることができ、半導体オーディオプレーヤなどの高音質を確保することができる。しかも、ディジタル回路とアナログ回路との電源(電池)が分離されているため、アナログ回路側において消費電流の大きな変動があったとしても、ディジタル回路における電圧の変動を防ぐことができ、システムが誤作動またはリセットされるのが防止できてシステムの動作を安定させることができる。
【００５８】
また、本発明は、携帯用電子機器に衝撃が作用し、ディジタル回路を接続した電池がチャタリングして電源の瞬断が生じた場合であっても、電源電圧が予め設定された値以下となる前に他方の電池に切り替えて接続するため、ディジタル回路からなるシステム制御部の電源が瞬断してシステムが誤作動またはリセットされるなどを防止でき、システムを安定して動作させることができる。
【図面の簡単な説明】
【図１】本発明の実施の形態に係る電源制御部の回路図である。
【図２】実施の形態に係る携帯用電子機器であるＡＶ機器の斜視図である。
【図３】実施の形態に係るＡＶ機器の要部部のブロック図である。
【図４】実施の形態に係るＡＶ機器における電源制御部の作用の概略を説明する図である。
【図５】実施の形態に係る電源制御部の作用を説明するフローチャートである。
【図６】実施の形態に係るシステム制御部の作用を説明するフローチャートである。
【符号の説明】
１０………携帯用電子機器(ＡＶ機器)、１４………表示部、２０………電源スイッチ部(メインスイッチ)、２６………電源部、２８………第１電池、３０………第２電池、３２………電池選択部(システム制御部)、３４………切替え接続部(電源制御部)、３６、３８、５９………アナログ回路(ＴＶチューナ、ＦＭチューナ、アプリケーション系回路)、４０、４２、５７………ディジタル回路(音声・画像デコーダ、液晶コントローラ、制御系回路)。
【図１】
0003729253.tif 000002
【図２】
0003729253.tif 000003
【図３】
0003729253.tif 000004
【図４】
0003729253.tif 000005
【図５】
0003729253.tif 000006
【図６】
0003729253.tif 000007